(57)【特許請求の範囲】
【請求項１】
ネットワークを介して接続されるユーザ端末へ写真を販売する写真販売管理システムであって、
前記ユーザ端末で表示させるために、販売者端末から送信され、閲覧に期限が付された販売用写真データを含む期限付写真販売ページを生成する期限付写真販売データ制御部と、
前記販売用写真データを含む期限付写真販売ページから購入された写真データとユーザ情報とを対応付けて記憶するユーザ管理記憶部と、
ユーザ認証を行うとともに、前記ユーザ端末で表示させるために、一又は二以上の加工商品データを含む加工商品販売ページを生成する加工商品データ制御部と、
前記販売用写真データの加工商品への販売の可否を記憶する加工商品販売記憶部と、
前記ユーザ端末とデータの送受信を行う送受信部を有し、
前記加工商品データ制御部は、前記加工商品データの一つが前記ユーザ端末で選択されると、前記加工商品販売記憶部を参照し、加工商品へ販売可であって、かつ、認証されたユーザに対応する前記写真データを前記ユーザ管理記憶部から読み出して前記送受信部が送信するよう制御し、前記写真データを適用した加工商品の購入要求を受付ける、写真販売管理システム。
【請求項２】
前記加工商品販売記憶部は、前記販売者端末から送信され、登録された前記販売用写真データの加工商品への販売の可否を記憶する、請求項１記載の写真販売管理システム。
【請求項３】
前記加工商品データ制御部は、加工商品へ販売可であって、かつ、認証されたユーザに対応する前記写真データのうち、前記ユーザ端末が選択した加工商品データが要求する適用条件を満たす写真データを前記ユーザ管理記憶部から読み出す、請求項１記載の写真販売管理システム。
【請求項４】
前記加工商品販売記憶部は、さらに、加工商品データに対応付けて写真データの販売者への分配率を記憶しており、
前記写真データを適用した加工商品が前記ユーザ端末により購入されると、前記加工商品販売記憶部から分配率を読み出し、前記写真データの販売者に加工商品の売上を分配する加工商品売上管理部をさらに有する、請求項１記載の写真販売管理システム。
【請求項５】
さらに、期限付で販売される写真データと、販売期限と、販売者と販売者の振込先情報とを関連付けて記憶する期限付写真販売記憶部を有し、前記加工商品売上管理部は、前記期限付写真販売記憶部に記憶された振込先情報に基づいて前記加工商品の売上の分配を前記販売者へ振り込む、請求項４記載の写真販売管理システム。
【請求項６】
前記加工商品販売記憶部は、さらに前記加工商品データに対応づけて前記加工商品データに合う写真データの条件をレコメンド条件として記憶し、
前記加工商品データ制御部は、認証されたユーザに対応する前記写真データから前記レコメンド条件に合致する写真データのうちの一つを選択し、前記加工商品データに適用したイメージデータをレコメンド商品データとして生成するよう制御する、請求項１記載の写真販売管理システム。
【請求項７】
請求項６記載の写真販売管理システムは、さらに、
写真データに含まれる顔の数又は写真に占める顔の割合を認識する顔認識処理部を有し、
前記加工商品販売記憶部は、さらに、販売用写真データに対応付けて前記顔認識処理部で認識した顔の数又は顔の割合を記憶するとともに、前記加工商品データに対応付けて、前記レコメンド条件として前記写真データに含まれる顔の数又は顔の割合を記憶し、
前記加工商品データ制御部は、前記ユーザ管理記憶部に記憶された認証されたデータに対応する前記写真データから、前記レコメンド条件である顔の数又は顔の割合に合致する写真データの一つを選択し、前記加工商品データに適用したイメージデータをレコメンド商品データとして生成する、写真販売管理システム。
【請求項８】
ネットワークを介して接続されるユーザ端末へ写真を販売する写真販売管理システムが実行する写真販売管理方法であって、
前記ユーザ端末で表示させるために、販売者端末から送信され、閲覧に期限が付された販売用写真データを含む期限付写真販売ページを生成するステップと、
生成された販売用写真データを含む期限付写真販売ページから購入された写真データとユーザ情報とを対応付けてユーザ管理記憶部へ記憶するステップと、
ユーザ認証を行うとともに、前記ユーザ端末で表示させるために、一又は二以上の加工商品データを含む加工商品販売ページを生成するステップと、
前記販売用写真データの加工商品への販売の可否を加工商品販売記憶部へ記憶するステップと、
前記加工商品データの一つが前記ユーザ端末で選択されると、加工商品へ販売可であって、かつ、認証されたユーザに対応する前記写真データを前記ユーザ管理記憶部から読み出して送信するステップと、
前記写真データを適用した加工商品の購入要求を受付けるステップとを実行する、写真販売管理方法。
【請求項９】
ネットワークを介して接続されるユーザ端末へ写真を販売する写真販売管理システムとしてコンピュータに実行させる写真販売管理プログラムであって、
前記ユーザ端末で表示させるために、販売者端末から送信され、閲覧に期限が付された販売用写真データを含む期限付写真販売ページを生成するステップと、
生成された販売用写真データを含む期限付写真販売ページから購入された写真データとユーザ情報とを対応付けてユーザ管理記憶部へ記憶するステップと、
ユーザ認証を行うとともに、前記ユーザ端末で表示させるために、一又は二以上の加工商品データを含む加工商品販売ページを生成するステップと、
前記販売用写真データの加工商品への販売の可否を加工商品販売記憶部へ記憶するステップと、
前記加工商品データの一つが前記ユーザ端末で選択されると、
加工商品へ販売可であって、かつ、認証されたユーザに対応する前記写真データを前記ユーザ管理記憶部から読み出して送信するステップと、
前記写真データを適用した加工商品の購入要求を受付けるステップとを実行させる、写真販売管理プログラム。
【発明の詳細な説明】
【技術分野】
【０００１】
本発明は、ネットワークを介して写真プリント、写真データ、写真加工商品を販売する写真販売管理システムに関する。
【背景技術】
【０００２】
近年、コンピュータシステムやコンピュータネットワークの進展により、デジタルカメラやビデオカメラなどで写真を画像データとして扱えるようになり、撮影した写真を画像データとして容易にネットワークを介して送受信できるようになっている。このため、撮影された写真データをコンピュータからネットワークを介して受信することで、写真プリント依頼を受注するサービスが行われている。
【０００３】
また、運動会や発表会、結婚式等のイベントで写真撮影を依頼されたカメラマンや写真店がイベント主催者である学校、幼稚園、団体等を介して撮影した写真を販売することがある。こうした場合、サンプル写真を学校等に所定期間掲示して購入を受付け、学校等の団体がとりまとめを行う。こうしたとりまとめ等の手間を省くため、イベントで撮影された写真についても、写真データをネットワークを介して写真販売システムにアップロードし、特定のグループに対して特定の期間に限って公開し、購入リクエストを募り、写真のプリントを受注するサービスが実施されている。システム運営者に写真販売を委託することで、イベント主催者は、写真の購入希望者（ユーザ）のとりまとめや精算の手間から解放され、また、写真を購入するユーザも、サンプル写真が掲示されている場所へ出向くことなく、希望する写真を購入することができるものである（特許文献１）。
【先行技術文献】
【特許文献】
【０００４】
【特許文献１】特開２００１−３２５０８２号公報
【発明の概要】
【発明が解決しようとする課題】
【０００５】
ところで、イベントでカメラマン等が撮影した写真を団体等から購入する場合、ユーザは、決められた期限内に、団体によって決められたサイズの写真プリントか、jpgなどの画像データ化された写真データしか購入することができないことが通常である。このため写真購入者が、写真販売システムから購入した場合であっても、学校などに掲示されているサンプル写真を見て購入したとしても、購入した写真が気に入って年賀状やポスター、キーホルダー等の加工商品を作成したいと思った場合、写真プリント店に出向いて別途注文する必要があった。このため、写真をデータで購入することができなかった場合、プリントされた写真をもとに加工商品を作成しなければならなかった。
【０００６】
一方、カメラマンや写真店といった写真販売者、また写真販売システムの運営者といった側からすれば、写真データを保有しているにも関わらず、その写真データを利用した加工商品を販売する機会を逸していた。
【０００７】
本発明はこのような状況を鑑みてなされたものであり、カメラマン等により撮影された写真の期限付写真販売システムから購入された写真を用いた加工商品の購入を容易に行うことができる写真販売管理システムを提供することを目的とする。
【課題を解決するための手段】
【０００８】
本発明にあっては、ネットワークを介して接続されるユーザ端末へ写真を販売する写真販売管理システムであって、ユーザ端末で表示させるために、販売者端末から送信され、閲覧に期限が付された販売用写真データを含む期限付写真販売ページを生成する期限付写真販売データ制御部と、販売用写真データを含む表示用データから購入された写真データとユーザ情報とを対応付けて記憶するユーザ管理記憶部と、ユーザ認証を行うとともに、ユーザ端末で表示させるために、一又は二以上の加工商品データを含む加工商品販売ページを生成する加工商品データ制御部と、販売用写真データの加工商品への販売の可否を記憶する加工商品販売記憶部と、ユーザ端末とデータの送受信を行う送受信部を有し、加工商品データ制御部は、加工商品データの一つがユーザ端末で選択されると、加工商品販売記憶部を参照し、加工商品へ販売可であって、かつ、認証されたユーザに対応する写真データをユーザ管理記憶部から読み出して送受信手段が送信するよう制御し、写真データを適用した加工商品の購入要求を受付ける、写真販売管理システムを提供する。本システムにより、ユーザは、期限付写真販売において購入した写真を適用した加工商品を写真販売管理システムで購入することができる。なお、本明細書における「写真データ」とは、jpg等の画像デジタルデータであり、コンピュータで扱えるデータを意味し、印画紙に印刷された写真は、写真プリントという。また、「加工商品」とは、写真を適用して作成される商品を意味し、例えば、ポスター、年賀状などのポストカード、フォトブック、キーホルダー、シールなどである。
【０００９】
さらに、本発明の写真販売管理システムの加工商品販売記憶部は、販売者端末から送信され、登録された販売用写真データの加工商品への販売の可否を記憶する。
【００１０】
また、本発明の写真販売管理システムの加工商品データ制御部は、加工商品へ販売可であって、かつ、認証されたユーザに対応する写真データのうち、ユーザ端末が選択した加工商品データが要求する適用条件を満たす写真データを前記ユーザ管理記憶部から読み出す。
【００１１】
また、加工商品販売記憶部は、さらに、加工商品データに対応付けて写真データの販売者への分配率を記憶しており、写真データを適用した加工商品がユーザ端末により購入されると、加工商品販売記憶部から分配率を読み出し、写真データの販売者に加工商品の売上を分配する加工商品売上管理部をさらに有する写真販売管理システムを提供する。このような構成とすることで、加工商品が販売されると、加工商品に適用された写真データの販売者も収入を得ることができるようになる。
【００１２】
さらに、期限付で販売される写真データと、販売期限と、販売者と販売者の振込先情報とを関連付けて記憶する期限付写真販売記憶部を有し、加工商品売上管理部は、期限付写真販売記憶部に記憶された振込先情報に基づいて加工商品の売上の分配を販売者へ振り込む。
【００１３】
また、加工商品販売記憶部は、さらに加工商品データに対応づけて加工商品データに合う写真データの条件をレコメンド条件として記憶し、加工商品データ制御部は、認証されたユーザに対応する写真データからレコメンド条件に合致する写真データのうちの一つを選択し、加工商品データに適用したイメージデータをレコメンド商品データとして生成するよう制御する。レコメンド商品データをユーザ端末に表示させることで、ユーザへの販売を促進することができる。
【００１４】
さらに、写真データに含まれる顔の数又は写真に占める顔の割合を認識する顔認識処理部を有し、加工商品販売記憶部は、さらに、販売用写真データに対応付けて顔認識処理部で認識した顔の数又は顔の割合を記憶するとともに、加工商品データに対応付けて、レコメンド条件として写真データに含まれる顔の数又は顔の割合を記憶し、加工商品データ制御部は、ユーザ管理記憶部に記憶された認証されたデータに対応する写真データから、レコメンド条件である顔の数又は顔の割合に合致する写真データの一つを選択し、加工商品データに適用したイメージデータをレコメンド商品データとして生成する。
【００１５】
本発明に係る写真販売管理方法は、ネットワークを介して接続されるユーザ端末へ写真を販売する写真販売管理システムに適用される写真販売管理方法であって、ユーザ端末で表示させるために、販売者端末から送信され、閲覧に期限が付された販売用写真データを含む期限付写真販売ページを生成するステップと、生成された販売用写真データを含む期限付写真販売ページから購入された写真データとユーザ情報とを対応付けてユーザ管理記憶部へ記憶するステップと、ユーザ認証を行うとともに、ユーザ端末で表示させるために、一又は二以上の加工商品データを含む加工商品販売ページを生成するステップと、販売用写真データの加工商品への販売の可否を加工商品販売記憶部へ記憶するステップと、加工商品データの一つがユーザ端末で選択されると、加工商品へ販売可であって、かつ、認証されたユーザに対応する写真データをユーザ管理記憶部から読み出して送信するステップと、写真データを適用した加工商品の購入要求を受付けるステップとを有する、写真販売管理方法を提供する。
【００１６】
本発明に係る写真販売管理プログラムは、ネットワークを介して接続されるユーザ端末へ写真を販売する写真販売管理システムとしてコンピュータを機能させる写真販売管理プログラムであって、ユーザ端末で表示させるために、販売者端末から送信され、閲覧に期限が付された販売用写真データを含む期限付写真販売ページを生成するステップと、生成された販売用写真データを含む期限付写真販売ページから購入された写真データとユーザ情報とを対応付けてユーザ管理記憶部へ記憶するステップと、ユーザ認証を行うとともに、ユーザ端末で表示させるために、一又は二以上の加工商品データを含む加工商品販売ページを生成するステップと、販売用写真データの加工商品への販売の可否を加工商品販売記憶部へ記憶するステップと、加工商品データの一つがユーザ端末で選択されると、加工商品へ販売可であって、かつ、認証されたユーザに対応する写真データをユーザ管理記憶部から読み出して送信するステップと、写真データを適用した加工商品の購入要求を受付けるステップとを有する、写真販売管理プログラムを提供する。
【発明の効果】
【００１７】
本発明によれば、写真販売管理システムにユーザに対応付けて記憶されている写真の購入履歴から、写真加工商品の作成依頼を行うことができるため、ユーザが過去に購入したイベント写真を用いて、容易に加工商品を購入することができる。また、プリントのみ購入していた写真であっても、写真販売管理システムに記憶されている写真データを使って加工商品が作成されるため、完成度の高い加工商品を作成することができる。
【００１８】
また、本写真販売管理システムによれば、販売側の事情が許せば、写真販売の期間経過後であっても、加工商品に写真が適用されれば、カメラマン等に売り上げの一部が分配される。このため、写真販売管理システムの運営者だけでなく、カメラマン等の写真販売元も、新たな販売機会を逸することなく、売り上げにつなげることができる。
【００１９】
さらに、本写真販売管理システムによれば、顔認識処理を写真データに行って写真に含まれる顔の数や顔の割合を記憶しておくことにより、ユーザが購入済みの写真データのなかから、各加工商品にふさわしい写真データを写真販売管理システムからレコメンドすることができ、販売促進につなげることができる。
【図面の簡単な説明】
【００２０】
【図１】図１は本発明における写真販売管理システムを含む全体構成の一例を示す図面である。
【図２】図２は、本発明にかかる写真販売管理システム１００のハードウェア構成図の一例を示す図面である。
【図３】図３は、本発明の第一の実施の形態における写真販売管理システム１００の機能ブロック図面である。
【図４】図４は、本発明の期限付写真販売記憶部１１１６のデータベース構成の一例を示す図面である。
【図５】図５は、本発明のユーザ管理記憶部１１２６のデータベース構成の一例を示す図面である。
【図６】図６は、本発明の加工商品販売記憶部１１３４のデータベース構成の一例を示す図面である。
【図７】図７は、本発明における期限付写真販売の一処理例を示すフローチャートである。
【図８】図８は、本発明の第一の実施の形態における受発注処理の流れを示すシーケンス図である。
【図９】図９は、本発明にかかる加工商品販売における写真販売管理システム１００の加工商品データ制御部１１３０の処理を説明するフローチャートの一例である。
【図１０】図１０は、本発明の第二の実施の形態における写真販売管理システム１００の機能ブロック図である。
【図１１】図１１は、本発明の第二の実施の形態の加工商品販売記憶部１１３４に記憶されるレコメンドＤＢ１１４０及び顔認識ＤＢのデータベース構成の一例を示す図面である。
【図１２】図１２は、本発明の第二の実施の形態における受発注処理の流れを示すシーケンス図である。
【図１３】図１３は、本発明にかかる第二の実施の形態における加工商品データ制御部１１３０の処理を説明するフローチャートの一例である。
【発明を実施するための形態】
【００２１】
以下、本発明を実施するための形態について、図面を参照しながら説明する。図１は、本発明における写真販売管理システムを含む全体構成の一例を示す図面である。写真販売管理システム１００は、ネットワークを介して販売者端末２００、ユーザ端末３００ａ、３００ｂ、３００ｃ、３００ｄが接続されている。ネットワークは、有線又は無線を問わず、インターネット、ＬＡＮ、ＷＡＮなど、どのようなネットワーク形態であってもよい。
【００２２】
写真販売管理システム１００は、写真販売者から販売者端末２００によりアップロードされた写真データを管理し、期限付で閲覧可能な販売用写真データを含む期限付写真販売ページを作成し、販売ページの閲覧権限を有するユーザからユーザ端末３００ａ〜ｄにより購入要求を受付け、決済、写真プリント等を行って発送するとともに、ユーザごとに写真の購入履歴を管理し、また、年賀状等のポストカード、キーホルダー等の加工商品販売データを生成して販売ページを作成し、購入履歴にある写真データを適用した加工商品の購入要求を受付けるサーバである。なお、写真販売管理システム１００は、一つのサーバ装置である必要はなく、複数のサーバに分散して構成されていてもよい。
【００２３】
販売者端末２００は、運動会、発表会、結婚式等のイベントでカメラマンが撮影した写真を販売する側の端末であり、カメラマン、写真店といった写真撮影者、または学校、団体、ブライダル業者等のイベント主催者の端末である。写真販売管理システム１００にネットワークを介してデータを送受信することができる端末であり、例えば、パーソナルコンピュータ、携帯電話、タブレット端末、スマートフォン等の情報通信端末、情報通信機能を有するメモリーカードを内蔵するデジタルカメラ等である。販売者端末２００は、販売する写真の写真データを写真販売管理システム１００へ送信することでアップロードし、住所や名前等の販売者情報、販売ページの閲覧期限、写真の販売価格等を写真販売管理システム１００へ登録する。ここで、販売者端末２００は、一つしか図示されていないが、販売者の数だけ端末があることは当然である。
【００２４】
ユーザ端末３００a〜ｄは、写真販売管理システム１００に登録されている写真データを購入、またはキーホルダーやポストカード、ポスター等の写真を適用した加工商品を購入するユーザが用いる端末である。写真販売管理システム１００にネットワークを介してデータを送受信することができる端末であればよく、例えば、パーソナルコンピュータ、携帯電話、スマートフォン、タブレット等の情報通信端末である。ユーザ端末３００a〜ｄは、写真販売管理システム１００にアクセスして、期限付で販売されているイベントの写真をユーザ端末３００a〜ｄに表示させることで閲覧し、購入要求を送信する。また、ユーザＩＤやパスワード、氏名、住所等のユーザ情報を写真販売管理システム１００に登録することで、ＩＤやパスワードでユーザ認証が行われると、ユーザ専用のページが表示され、過去に写真販売管理システム１００から購入した写真データを閲覧することができる。また、購入済みの写真データを選択して、写真販売管理システム１００が販売する加工商品の購入要求を送信する。
【００２５】
図２は、本発明にかかる写真販売管理システム１００のハードウェア構成図の一例を示す図面である。図２において、写真販売管理システム１００は、それぞれバスで相互に接続されている制御部１１０、表示部１２０、通信インターフェース１３０、操作部１４０、記憶部１５０、期限付写真販売記憶部１６０、ユーザ管理記憶部１７０、加工商品販売記憶部１８０を有する。制御部１１０は、アプリケーション、オペレーティングシステム（ＯＳ）、写真販売管理プログラムを記憶部１５０から読み出し、実行する。
【００２６】
表示部１２０には、ディスプレイで構成され、写真販売管理プログラムの制御画面や、販売用写真データを含む表示用データや加工商品データを含む表示用データ等を生成するための制御画面等が表示される。
【００２７】
通信インターフェース１３０は、ＬＡＮカードやインターネットケーブルを接続するためのインターフェースであり、ネットワークを介して販売者端末２００やユーザ端末３００a〜ｄと接続されている。制御部１１０からの指示により、販売者端末２００やユーザ端末３００a〜ｄと写真データや表示用データ、購入要求、ユーザ登録等のデータを送受信する。
【００２８】
操作部１４０は、マウス、キーボードなどで構成され、各記憶部の設定や、処理の実行指示等を行う。記憶部１５０は、例えば、ハードディスクやフラッシュメモリで構成され、アプリケーション、オペレーティングシステム（ＯＳ）、写真販売管理プログラム等を記憶している。なお、磁気ディスク、光ディスク、光磁気ディスク、もしくは半導体メモリなどのリムーバブルメディアで構成してもよい。
【００２９】
期限付写真販売記憶部１６０は、販売者から販売者端末２００を介してアップロードされた写真を販売するためのデータを記憶する。例えば、閲覧に期限が付された販売用写真データを含む表示用データで構成される写真販売ページのページ名称や、写真販売ページを閲覧するために必要なパスワード、販売開始日時及び購入期限等の写真販売ページに関する情報を記憶する販売ページＤＢ、販売者の情報を記憶する販売元管理ＤＢ、販売された写真の売上を管理する期限付写真販売売上ＤＢ、販売用に販売者端末２００からアップロードされた写真データを記憶する写真ＤＢ、販売用写真の価格等を記憶する販売商品ＤＢを記憶する。これら期限付写真販売記憶部１６０に記憶されているデータベースについては、後述する。
【００３０】
ユーザ管理記憶部１７０は、閲覧に期限が付された販売用写真データを含む表示用データである、期限付写真販売用のページから購入された写真とユーザ情報とを対応づけて記憶している。例えば、購入された写真データを記憶するユーザページ写真管理ＤＢとユーザの氏名や住所、ユーザＩＤやパスワード等を記憶するユーザ情報ＤＢを記憶する。
【００３１】
加工商品販売記憶部１８０は、加工商品データを含む表示用データで構成される加工商品販売ページを生成するためのデータを記憶する。例えば、期限付写真販売ページで販売された写真データを加工商品に使用しての販売の可否を記憶する加工商品販売管理ＤＢ、加工商品データを表示させるための各加工商品のテンプレートを記憶するテンプレートデータＤＢ、加工商品の売り上げを管理する加工商品販売売上ＤＢ、加工商品の価格及び写真販売者への分配率を記憶する加工商品販売商品ＤＢを記憶する。
【００３２】
図３は、本発明の第一の実施の形態における写真販売管理システム１００の機能ブロック図である。図３に示すように、写真販売管理システム１００は、期限付写真販売システム１７００と加工商品販売システム１８００から構成される。期限付写真販売システム１７００は、ネットワークを介して写真を販売するシステムであり、販売者が販売者端末２００から期限付写真販売システム１７００へアップロードした写真を販売するページを生成し、ユーザへ販売するものである。また、加工商品販売システム１８００は、写真を適用する加工商品をネットワークを介して販売するためのシステムであり、加工商品データを含む表示用データである加工商品販売ページを生成し、加工商品の販売を行うものである。
【００３３】
期限付写真販売システム１７００は、期限付写真販売データ制御部１１１２、写真データ受付部１１１３、期限付写真売上管理部１１１４、期限付写真販売記憶部１１１６、ユーザページ生成部１１２２、送受信部１１２４、ユーザ管理記憶部１１２６を有する。なお、ユーザページ生成部１１２２、送受信部１１２４、ユーザ管理記憶部１１２６は、加工商品販売システム１８００と共通する機能である。
【００３４】
期限付写真販売データ制御部１１１２は、販売者端末２００から送信され、閲覧に期限が付された販売用写真データを含む表示用データである写真販売ページを生成する。生成された写真販売ページは、送受信部１１２４を介して、アクセスしてきたユーザ端末３００へ送信、表示される。また、期限付写真販売データ制御部１１１２は、写真販売ページには、閲覧及び購入に期限が設定されているため、ユーザ端末３００から販売ページにアクセスがあった場合であっても、閲覧及び購入可能日なのか判定し、期限内である場合に限り、アクセスしてきたユーザ端末に写真販売ページを送信する。また、期限付写真販売データ制御部１１１２は、写真販売ページは、イベント等に参加した特定のユーザにのみ閲覧が許可されるものであるため、例えば特定のパスワードの入力等によってその写真販売ページへのアクセス権限を有しているか認証を行う。
【００３５】
また、期限付写真販売データ制御部１１１２は、ユーザ端末３００から、販売ページに含まれる写真の購入要求を受付け、写真の購入要求があった場合、購入したい写真、枚数、合計金額、支払等を受付け、それらを期限付写真販売記憶部１１１６に登録する。
【００３６】
写真データ受付部１１１３は、販売者から販売者端末２００を介して、期限付写真販売システム１７００を通じて販売したい写真データやその他のデータを受付ける。例えば、写真データ受付部１１１３は、販売者端末２００に表示させるための、販売元が販売者情報を登録するためのページを生成し、販売したい写真データを複数受け付けるとともに、それらの写真が撮影されたイベント名を販売ページのタイトルとして登録する。また、写真の販売価格、販売写真のサイズ、販売開始日時及び販売終了日時を受付けるとともに、販売元の名称、住所、メールアドレス、写真の売上代金の振込先等の登録を受け付け、期限付写真販売記憶部１１１６へ記憶させる。写真データ受付部１１１３は、写真データその他のデータの登録を受け付けると、その写真データを販売する販売ページへアクセスするためのパスワードを生成して、販売者端末２００へ送受信部１１２４を介して送信するよう制御する。ここでは、パスワードとしているが、これに限らず、販売ページにアクセスに対して正当性を認証する方法であれば、他の方法であってもよい。
【００３７】
期限付写真売上管理部１１１４は、期限付写真販売ページで購入された写真の売り上げを管理する。具体的には、期限付写真販売データ制御部１１１２が購入要求を受け付け、期限付写真販売記憶部１１１６に登録された購入された写真、枚数、購入したユーザ、購入額、販売元などのデータから、写真販売元へ、システム利用料を差し引いて売上額を振り込むとともに、購入された写真プリントの印刷発注、発送管理、ユーザが決済したときの入金管理などを行う。
【００３８】
期限付写真販売記憶部１１１６は、期限付写真販売に関する種々のデータを記憶する。期限付写真販売記憶部１１１６は、複数のデータベース（ＤＢ）から構成され、たとえば、販売ページＤＢ１１１７、販売元管理ＤＢ１１１８、期限付写真販売売上管理ＤＢ１１１９、写真ＤＢ１１２０、販売商品ＤＢ１１２１を有する。
【００３９】
図４は、期限付写真販売記憶部１１１６のデータベース構成の一例を示す。販売ページＤＢ１１１７は、販売ページＩＤに対応付けて販売ページ名称、販売ページへのアクセス認証のためのパスワード、販売開始日時、販売終了日時、販売元ＩＤを記憶している。一つのイベントで撮影された複数の写真を一つの販売ページでまとめて販売されることが常であるため、販売ページＩＤをキーとしている。購入のとりまとめ、ユーザの閲覧へのインセンティブ等の理由により写真販売ページの閲覧可能期間を販売開始日時と販売終了日時を設定することで区切っている。販売元管理ＤＢ１１１８は、販売者に関する情報を記憶しており、販売元ＩＤをキーとして、販売者の名前、メールアドレス、住所等の連絡先、振込先が対応付けて記憶されている。これらに加えて、登録されている販売者情報の変更手続き等のために、ログインＩＤとパスワードや、販売者の連絡先として電話番号を対応付けて記憶してもよい。
【００４０】
期限付写真販売売上ＤＢ１１１９は、期限付写真販売ページから販売された写真の売り上げを管理する。販売ページＩＤをキーとして、販売された写真の写真データＩＤ、写真の商品種別（プリントサイズ等）を示す商品ＩＤ、販売枚数、購入したユーザの購入ユーザＩＤ、購入日などを記憶している。これに加え、売上額を記憶したり、写真プリントの工程管理のために、写真プリント依頼日や、ユーザへの発送日、写真が写真データとして購入された場合は、写真データダウンロード完了日などを記憶していてもよい。
【００４１】
写真ＤＢ１１２０は、販売用の写真データを記憶しており、写真データＩＤをキーとして写真データのファイル名、撮影日、データ量（サイズ）、販売ページＩＤを対応付けて記憶している。販売商品ＤＢ１１２１は、写真の商品種別と商品種別に対応する価格を記憶する。写真の商品種別とは、写真をプリントする場合のプリントサイズ（四つ切、Ｌサイズ等）である。期限付写真販売システムで販売される写真は、同じプリントサイズの写真であったとしても、販売者の事情により販売者ごと、またはイベントごとに価格が異なることが多い。このため、販売ページＩＤに対応付けて商品と価格を記憶し、さらにそれらに商品ＩＤを割り振って記憶している。このように期限付写真販売記憶部１１１６を構成することで、写真データと販売期限、販売ページ、販売者情報と振込情報を対応付けて記憶している。但し、このデータベース構成は一例であって、期限付写真販売記憶部１１１６に記憶されている事項を同様に記憶することができる構成であれば、どのような構成であってもよい。
【００４２】
ユーザページ生成部１１２２は、ユーザ認証がなされ、「ユーザページ」を要求する信号を受信すると、認証されたユーザが期限付写真販売ページで過去に購入した写真データを表示するためのユーザページをユーザ管理記憶部１１２６を参照して生成する。生成されるユーザページは、例えば、ログイン後に生成されるユーザページでは、購入した販売ページ名（つまりイベント名）が羅列されるのみで、写真は表示されず、各イベント名をクリックすると、購入した写真が表示されるように構成される。なお、別の例では、すべての写真が、イベント別にグループ分けされた状態で一覧で表示される。なお、ユーザページでは、写真を写真データとして購入していない場合は、写真が表示されるのみでありユーザページを介して写真データをユーザがダウンロードすることはできないようになっている。
【００４３】
送受信部１１２４は、販売者端末２００又はユーザ端末３００とネットワークを介して写真データや購入要求、表示ページなどのデータの送受信を行う。
【００４４】
ユーザ管理記憶部１１２６は、期限付写真販売ページから購入された写真データとユーザ情報とを対応付けて記憶しており、例えば、ユーザページ写真管理ＤＢ１１２７とユーザ情報ＤＢ１１２８から構成される。図５は、ユーザ管理記憶部１１２６のデータベース構成の一例を示す。ユーザページ写真管理ＤＢ１１２７は、ユーザＩＤをキーとして販売ページＩＤ、写真データの購入の有無を示すダウンロード、購入写真データＩＤ、購入日などを対応付けて記憶している。ここで、購入写真データＩＤを記憶しているため、写真ＤＢ１１２０から写真データを読み出して表示することができる。ユーザ情報ＤＢ１１２８は、ユーザＩＤをキーとしてパスワード、氏名、性別、住所、メールアドレス等のユーザに関する情報を記憶している。これらに限らず、電話番号などを記憶していてもよい。ユーザＩＤとパスワードは、ユーザがユーザ自身の情報（氏名、住所等）を写真販売管理システム１００に登録したときに、合わせて設定されるものである。パスワードは、そのまま記憶されるのではなく、ハッシュ化して記憶してもよい。ユーザ管理記憶部１１２６のデータベース構成は、一例であり、これらの項目を記憶することができれば、どのような構成であってもよい。
【００４５】
加工商品販売システム１８００は、加工商品データ制御部１１３０、加工商品売上管理部１１３２、加工商品販売記憶部１１３４、ユーザページ生成部１１２２、送受信部１１２４、ユーザ管理記憶部１１２６を有する。
【００４６】
加工商品データ制御部１１３０は、キーホルダーや年賀状などのポストカード、フォトブックなど、写真を使った加工商品を販売するために、一又は二以上の加工商品データを含む表示用データである加工商品販売ページを生成する。また、加工商品販売ページにユーザ端末からアクセスがあった場合、ユーザ認証がされているか判定し、ユーザ認証がされていない場合は、ユーザ認証画面を表示し、ユーザ認証されている場合、加工商品販売ページを表示するよう制御する。ユーザ端末３００から加工商品データの一つを選択する信号を受信すると、選択された加工商品の詳細ページをユーザ端末へ送信するよう制御し、ユーザ端末３００からの購入要求を受付ける。加工商品販売ページには、販売される加工商品が複数掲載されていて、加工商品のイメージデータと、加工商品名称、価格などのデータが含まれており、各加工商品を選択できるような構成となっている。また、加工商品の詳細ページは、加工商品のイメージデータとともに、商品の詳細説明、価格、「写真選択」のボタン、納期等のデータが含まれている。
【００４７】
また、加工商品の詳細ページにある「写真選択」のボタンがクリックされたことを受信すると、加工商品データ制御部１１３０は、加工商品販売管理ＤＢ１１３５に記憶されている写真の加工商品販売への販売の可否のデータを読み出し、可とされている写真であって、ユーザが購入済みの写真データをユーザ管理記憶部１１２６、期限付写真販売記憶部１１１６を読み出すことで、選択された加工商品に適用できる購入済みの写真の写真データを抽出する。さらに、加工商品データ制御部１１３０は、選択された加工商品への適用条件が記憶されている加工商品販売記憶部１１３４を参照し、抽出した写真データのうち、選択された加工商品への適用条件を満たす写真データのみを読み出して読み出した写真データの表示用データを生成する。適用条件とは、例えば、写真が所定以上の画素数を有するものであること等である。
【００４８】
加工商品売上管理部１１３２は、加工商品販売ページからの加工商品購入の売上管理を行う。具体的には、加工商品売上管理部１１３２は、加工商品データ制御部１１３０が購入要求を受け付け、加工商品販売記憶部１１３４に登録された購入された加工商品、注文数、購入したユーザ、購入額、適用される写真などのデータから、写真販売元へ分配率に従って分配額を振り込むとともに、購入された加工商品の発注、発送管理、ユーザが決済したときの入金管理などを行う。
【００４９】
加工商品販売記憶部１１３４は、加工商品販売に関する種々のデータを記憶する。加工商品販売記憶部１１３４は、複数のＤＢから構成され、たとえば、加工商品販売管理ＤＢ１１３５、テンプレートデータＤＢ１１３６、加工商品販売売上ＤＢ１１３７、加工商品販売商品ＤＢ１１３８を有する。
【００５０】
図６は、加工商品販売記憶部１１３４のデータベース構成の一例を示す。加工商品販売管理ＤＢ１１３５は、期限付写真販売システムで販売された写真の加工商品への販売の可否について、販売者端末から送信され、登録された情報を記憶している。従って、例えば、期限付写真販売ページの販売ページＩＤをキーとして販売元ＩＤ及び販売ページで販売された写真の加工商品への販売の可否が対応づけて記憶されている。販売ページＩＤを介して販売ページＩＤに対応づけて写真ＤＢ１１２０に記憶されている写真データの販売可否が決まる。なおこの方法に限らず、写真ＩＤに直接対応づけて写真の加工商品への販売の可否を記憶してもよい。
【００５１】
テンプレートデータＤＢ１１３６は、加工商品のテンプレートデータを記憶する。テンプレートデータ、つまり、加工商品に写真が入っていない状態での出来上がりイメージの画像データを記憶している。具体的には、加工商品名称に対応付けてテンプレートデータである画像データを記憶している。また、テンプレートデータＤＢ１１３６は、当該加工商品に写真を適用する場合に、写真に要求される解像度（ピクセル数）も、あわせて記憶している。なお、解像度だけでなく写真の向きが縦、横、どちらが当該テンプレートに適用するために適しているかを併せて記憶していてもよい。
【００５２】
加工商品販売売上ＤＢ１１３７は、加工商品販売ページから販売された加工商品の売り上げを管理する。加工商品それぞれに付されている商品ＩＤをキーとして、購入時に適用された写真データの写真ＩＤ、販売数、購入ユーザＩＤ、購入日などを記憶する。これらに加えて、売上額を記憶したり、加工商品の工程管理のために、加工商品作成依頼日やユーザへの発送日等を記憶してもよい。
【００５３】
加工商品販売商品ＤＢ１１３８は、加工商品の商品ごとに商品の価格、写真販売元への分配率、商品ＩＤを対応付けて記憶する。加工商品の例として例えば、年賀状、キーホルダー、引越挨拶状、フォトブック、ポスターなどがあげられる。また、年賀状やキーホルダー等それぞれにおいて、カラー、モノクロ等、様々なデザインのものが用意されているため、それぞれのデザイン別に記憶されている。分配率は、加工商品が期限付販売ページから購入された写真を適用して発注された場合に、適用された写真の販売元に支払う分配額を決めるものである。ここでは、加工商品別に分配率を変えているが、写真販売元別に分配率を変えてもよく、またすべて一律の分配率でもよい。売上に対する分配率で、写真販売元への分配額が決まる。これにより、カメラマン等の写真販売元も、イベント後の写真販売だけでなく、加工商品が販売されるごとに、収入を得ることができる。なお、加工商品販売商品ＤＢ１１３８は、これらに限らず、商品説明などを記憶してもよい。また、加工商品販売記憶部１１３４のデータベース構成は、一例であり、これらの項目を記憶することができれば、どのような構成であってもよい。
【００５４】
なお、期限付写真販売記憶部１１１６とユーザ管理記憶部１１２６と加工商品販売記憶部１１３４は、それぞれ便宜的に別々の記憶部として記載しているが、各記憶部に含まれるＤＢは、相互に連携するものである。また、それぞれを別の記憶部として便宜上区切っているが、これは一例であって同様のことが実現できれば他の構成であってもよく、三つの記憶部を一つの記憶部として構成しても構わない。
【００５５】
図７は、期限付写真販売の一処理例を示すフローチャートである。まず、販売者端末２００は、写真販売管理システム１００の写真データ受付部１１１３が生成した、販売者向けの販売者情報登録のページにアクセスし、販売元の情報を登録する（ステップＳ７０１）。販売元の情報とは、例えば、販売者の名前又は名称、連絡先としての住所、メールアドレス等である。また写真販売管理システム１００へアクセスする際の認証に用いるユーザＩＤやパスワードなどもあわせて設定、登録してもよい。これらのデータは、期限付写真販売記憶部１１１６の販売元管理ＤＢ１１１８へ記憶される。
【００５６】
次に、販売者は、販売者端末２００を介して販売したい写真データを登録する（ステップＳ７０２）。複数の写真データを、ネットワークを介して写真販売管理システム１００へ送信し、期限付写真販売記憶部１１１６へ記憶される。そして、一つのイベントに関する写真データがまとめて送信され、それらの写真をまとめて販売する販売ページの名称、販売開始日時、販売終了日時、写真プリント種別ごとの価格設定が、販売者端末２００で入力され、写真販売管理システム１００へ送信されることで、これらのデータが期限付写真販売記憶部１１１６へ記憶される。また、これら写真販売に必要な情報が登録されると、期限付写真販売データ制御部１１１２により、販売用写真を含む期限付写真販売用ページが生成され、写真販売ページにアクセスするためのアドレス（例えば、ＵＲＬ）と、写真販売ページへのアクセスに必要なパスワードが販売者端末２００へ発行、送信される。販売者は、イベント参加者等、写真を希望するユーザへＵＲＬやパスワード、購入可能期間を通知するので、イベントに関係する写真を希望するユーザにのみ、販売ページへのアクセスが可能となる。
【００５７】
ユーザ端末３００は、販売者からの告知に従って、写真販売管理システム１００の写真販売ページへアクセスする（ステップＳ７０３）。ＵＲＬを入力する等して、希望しているイベントの写真販売ページへネットワークを介して販売ページデータ送信要求を送信することでアクセスする。期限付写真販売データ制御部１１１２は、販売ページデータ送信要求をユーザ端末３００から受信すると、購入可能期間かどうかを判別し、購入可能期間である場合、認証のためのパスワードの入力を促し、ページへのアクセス権限があるかどうか、認証を行う（ステップＳ７０４）。
【００５８】
ユーザ端末３００から受信したパスワードが、販売ページに設定したパスワードと一致した場合、期限付写真販売データ制御部１１１２は、販売ページがユーザ端末３００で表示されるよう、販売ページデータを送信する（ステップＳ７０５）。つまり、ここで、ユーザ端末３００に販売ページが表示されるため、販売される写真データも販売ページのなかであわせて表示される。販売ページには、販売される写真データとともに、購入できる写真の種類（プリント、データ、プリントサイズ等）及び価格情報、などが含まれている。
【００５９】
ユーザは、ユーザ端末３００から販売ページの購入したい写真をクリックする。ユーザ端末３００は、購入要求を写真販売管理システム１００へ送信することで、写真購入手続を行う（ステップＳ７０６）。このとき、ユーザ端末３００は、購入した写真及びプリント／データの種別、サイズ等を指定するとともに、ユーザ自身の情報である氏名、メールアドレス、住所等を送信し、期限付写真販売データ制御部１１１２は、受信したこれらのデータを期限付写真販売記憶部１１１６へ記憶するよう制御する。なお、ユーザに関する情報は、ユーザ管理記憶部１１２６へ記憶される。このとき、写真販売管理システム１００は、ユーザ端末３００に、ユーザＩＤ及びパスワードが登録されていない場合、登録するよう要求し、ユーザ端末３００からユーザＩＤ及びパスワードを受信すると、ユーザ情報としてユーザ管理記憶部１１２６へ記憶する。また、購入手続きの際に、ユーザは、ユーザ端末を介してクレジットカード決済やコンビニエンスストアでの支払等により、写真代金の決済を行う。この決済手続は、期限付写真販売データ制御部１１１２を介して、クレジットカード会社やコンビニエンスストアのシステムに決済要求が送信されることで決済手続が行われる。
【００６０】
写真の購入手続が完了すると、期限付写真売上管理部１１１４が、写真のプリント作成を写真プリント会社等へ発注等を行って、購入された写真のユーザへの発送まで管理する。そして、所定の期間ごとに、写真販売による売り上げを取りまとめ、販売元へ、写真販売管理システム１００のシステム利用料を引いた料金を支払う（ステップＳ７０７）。たとえば、一つの販売ページでの販売期間が終了した後に、売上額をとりまとめ、予め、販売者と取り決めた額を差し引いたうえで、販売者から登録されている振込先へ、販売代金を振り込む。以上が、写真販売管理システムによる、期限付写真販売の流れである。
【００６１】
次に、本発明の第一の実施の形態における加工商品販売の処理の流れを説明する。図８は、本発明の第一の実施の形態における受発注処理の流れを示すシーケンス図である。まず、写真販売管理システム１００の加工商品データ制御部１１３０は、加工商品販売を開始するために、ポストカード、年賀状、キーホルダー、など加工商品名称と、そのテンプレートデータ、詳細説明情報、価格の登録を受け付け、加工商品販売商品ＤＢ１１３８及びテンプレートデータＤＢ１１３６へ記憶する（Ｓ８０１）。そして、加工商品データ制御部１１３０は、これらのデータに基づいて加工商品販売用ページを生成する。販売者端末２００は、自己が販売する写真について、加工商品への適用の可否を設定して送信し（Ｓ８０２）、加工商品データ制御部１１３０はそれを受け付け、加工商品販売管理ＤＢ１１３５へ記憶する（Ｓ８０３）。なぜなら、イベント主催者の都合等により、決められた期間内の写真販売のみが許可され、加工商品への販売は許可されない場合があるためである。
【００６２】
そして、ユーザ端末３００は加工商品販売用ページへアクセスする（Ｓ８０４）。このアクセスは、直接加工商品販売用ページへアクセスする場合だけでなく、ユーザ認証によるログイン後に表示されるユーザページに貼られている加工商品販売用ページへのリンクをクリックしたことでアクセスする場合もある。そこで、加工商品販売用ページの表示用データのページ要求を受信すると、加工商品データ制御部１１３０は、ログイン済みかどうかを判定する（Ｓ８０５）。ログインされていない場合は、ログイン要求をユーザ端末３００へ送信し、ユーザＩＤ及びパスワードの入力を要求するログインページの表示用データを送受信部１１２４が送信するよう制御する。ユーザ端末３００は、ユーザＩＤ及びパスワードを入力し、ログインの手続きを行う（Ｓ８０６）。
【００６３】
ユーザＩＤ及びパスワードをユーザ端末３００から加工商品データ制御部１１３０が受信すると、ユーザ情報ＤＢ１１２８を参照して、ユーザ認証を行う（Ｓ８０７）。ユーザＩＤ及びパスワードが正しければ、加工商品データ制御部１１３０は、加工商品データを含む表示用データである加工商品販売用ページをユーザ端末３００へ送信する。なお、ステップＳ８０５でログイン済みと判定した場合も同様に、加工商品販売用ページを送信する。ユーザ端末３００で加工商品販売用ページが表示され、ユーザによってユーザ端末３００により加工商品の一つが選択される（Ｓ８０８）。
【００６４】
加工商品データのうちの一つが選択され、クリックされると、選択された加工商品の詳細ページの送信要求が、写真販売管理システム１００へ送信される。写真販売管理システム１００は、これを受信するとテンプレートデータＤＢ１１３６と加工商品販売商品ＤＢ１１３８を参照して、加工商品のテンプレートデータで構成されるイメージデータ、商品名、価格、「写真選択」のボタン等から構成される選択された加工商品の詳細ページを読み出し、ユーザ端末３００へと送信する（Ｓ８０９）。
【００６５】
そして、ユーザ端末３００において、その加工商品へ適用する写真を選択したい旨が入力される（例えば、「写真選択」のボタンがクリックされる）（Ｓ８１０）。写真選択要求を写真販売管理システム１００が受信すると、加工商品データ制御部１１３０は、選択された加工商品で選択可能なそのユーザの購入済みの写真を読み出す（Ｓ８１１）。つまり、加工商品データ制御部１１３０はテンプレートデータＤＢ１１３６を読み出して、選択加工商品が写真に要求する解像度を確認し、また、加工商品販売管理ＤＢ１１３５から加工商品への適用の可否を確認して、ユーザ端末３００がログインしたユーザＩＤに対応する期限付写真販売から購入済みの写真データのうち、要求する解像度を有する写真データであって、かつ加工商品への適用が可とされている写真データを写真ＤＢ１１２０から読み出す。そして、選択可能なユーザの写真データのページを生成して、ユーザ端末３００へ送信する（Ｓ８１２）。
【００６６】
なお、本実施の形態では、加工商品の一つが選択されるとその加工商品の詳細情報を含んだページが送信され、ユーザ端末３００で「写真選択」のボタンをクリックされると、候補写真が読み出される構成としているが、これに限らず、加工商品の一つが選択されると、加工商品の詳細情報（テンプレート画像、価格、納期等）とともに、候補として選択可能なユーザの写真データもあわせて表示するように構成してもよい。
【００６７】
ユーザ端末３００は、受信した選択可能なユーザの写真データ（候補写真）のページを表示する（Ｓ８１３）。このなかから、ユーザ端末３００は、購入予定の加工商品へ適用する写真を選択する（Ｓ８１４）。一つの写真を選択した旨の信号が写真販売管理システム１００へ送信されると、加工商品データ制御部１１３０は、選択された写真データを写真ＤＢ１１２０から読み出し、選択された加工商品のテンプレートデータに写真データを合成して、出来上がりイメージデータを生成する（Ｓ８１５）。生成されたイメージデータを送信するよう加工商品データ制御部１１３０は制御し、送受信部１１２４がユーザ端末へ送信する。
【００６８】
ユーザ端末３００は、出来上がりイメージのデータを受信するとそれを表示し、ユーザからの購入決定をまつ。購入決定がなされる（例えば、出来上がりイメージのデータページにある「購入」ボタンがクリックされる）と、購入手続へとすすむ（Ｓ８１６）。例えば、購入要求を写真販売管理システム１００が受信すると、加工商品データ制御部１１３０は、購入枚数、決済方法、発送先情報の登録などを入力するためのページを生成して、送受信部１１２４はユーザ端末３００へ送信し、入力された情報を受信することで加工商品を受注する（Ｓ８１７）。
【００６９】
受注した加工商品情報は、加工商品販売売上ＤＢ１１３７へ記憶される。加工商品売上管理部１１３２は、所定期間ごとに、加工商品に適用された写真データの販売元に対し、加工商品販売売上ＤＢ１１３７に記憶されている売上に基づき、加工商品販売商品ＤＢ１１３８に記憶されている分配率に従って、各販売元へ支払う分配金を計算し、販売元管理ＤＢ１１１８を参照して、分配金を販売者へ振り込むことで料金を支払う（Ｓ８１８）。また、加工商品売上管理部１１３２は、加工商品の作成を加工業者等へ発注し、ユーザへ発送されるまで、管理を行う（Ｓ８１９）。また、販売者は、分配金を受領し、例えば、販売者端末２００は、加工商品売上管理部１１３２から、分配金が振り込まれる旨の通知を受信する（Ｓ８２０）。
【００７０】
なお、ここでは、一つの加工商品を選択して購入する例で説明したが、購入決定後、購入手続に入る前に、他の商品を選択して別の写真を選んで複数の加工商品の購入決定を行うこともある。この場合、複数の加工商品それぞれについて、写真を選択後、ステップＳ９１１の購入手続に入るよう構成してもよい。
【００７１】
図９は、本発明にかかる加工商品販売における写真販売管理システム１００の加工商品データ制御部１１３０の処理を説明するフローチャートの一例である。まず、加工商品データ制御部１１３０は、ユーザ端末３００の一つから加工商品データを含む表示用データである加工商品販売ページへのアクセスを受信する（ステップＳ９０１）。加工商品データ制御部１１３０は、要求を送信してきたユーザ端末３００がログイン済みであるかどうかを判定する（ステップＳ９０２）。
【００７２】
ユーザ認証がなされていない場合（Ｎｏ）、加工商品データ制御部１１３０は、ユーザＩＤ及びパスワードを入力するためのログイン画面がユーザ端末に表示されるようログイン画面用データを送受信部１１２４が送信するよう制御する（ステップＳ９０３）。加工商品データ制御部１１３０は、ユーザ端末からユーザＩＤ及びパスワードのデータを受信すると、受信したユーザＩＤ及びパスワードがユーザ情報ＤＢ１１２８に記憶されているデータと一致するかどうか判定する（ステップＳ９０４）。一致しない場合（Ｎｏ）、エラーであることを通知し、改めてログイン画面を表示させる（ステップＳ９０３）。ユーザＩＤ及びパスワードが一致する場合（Ｙｅｓ）、ユーザ認証がなされ、加工商品販売ページの表示用データをユーザ端末へ送信し、表示させる（ステップＳ９０５）。
【００７３】
ユーザ認証がすでになされている場合（Ｙｅｓ）、加工商品データ制御部１１３０は、加工商品販売ページの表示用データをユーザ端末へ送信し、加工商品販売ページを表示させる（ステップＳ９０５）。加工商品販売ページには、販売している加工商品、例えば、年賀状の様々なデザインや様々な形やデザインのキーホルダーなどが価格等とともに掲載されている。加工商品データ制御部１１３０は、ユーザ端末３００から加工商品の選択の受信を待ち、加工商品販売ページに含まれる加工商品データのうちの一つが選択されたかどうか判定する（ステップＳ９０６）。選択を受信していない場合（Ｎｏ）、判定を続ける。選択を受信した場合（Ｙｅｓ）、選択された加工商品の詳細ページに係る表示用データをテンプレートデータＤＢ１１３６、加工商品販売商品ＤＢ１１３８を参照して生成し、ユーザ端末３００に送信し、表示させる（ステップＳ９０７）。詳細ページには、選択された加工商品のテンプレートデータが表示されるとともに、納期や写真に対して要求する仕様や商品説明、価格、写真選択ボタンなどがたとえば掲載されている。
【００７４】
加工商品データ制御部１１３０は、ユーザ端末から詳細ページに含まれる写真選択ボタンをクリックしたことによる信号を受信したかどうかを判定する（ステップＳ９０８）。クリックされていない場合（Ｎｏ）、信号は受信していないため、引き続き判定を行う。ユーザ端末３００においてクリックされ、その信号を受信したとき（Ｙｅｓ）、加工商品データ制御部１１３０は、選択された加工商品に選択可能な購入済み写真がユーザ端末３００に表示されるよう、制御する（ステップＳ９０９）。ここで、加工商品データ制御部１１３０は、選択された加工商品データに適用される写真に要求される適用条件（たとえば、必要な画素数、写真の向き等）をテンプレートデータＤＢ１１３６から読み出すとともに、認証されたユーザの購入済み写真データをユーザページ写真管理ＤＢから読み出し、さらに、加工商品販売管理ＤＢ１１３５から、加工商品への適用の可否を読み出して、認証されたユーザの購入済みの写真のうち、選択された加工商品に適用可能な写真データを写真ＤＢ１１２０から読みだしてユーザ端末３００へ表示するよう制御する。
【００７５】
そして、加工商品データ制御部１１３０は、表示させた写真データのうち、いずれかの写真が選択されたかどうか、ユーザ端末からの信号の受信を待つ（ステップＳ９１０）。写真選択の信号を受信しない場合（Ｎｏ）、引き続き写真が選択されたかどうかの判定を行う。写真選択の信号を受信した場合（Ｙｅｓ）、加工商品データ制御部１１３０は、選択された写真データと選択された加工商品データのテンプレートデータに基づいて出来上がりイメージを生成し、ユーザ端末３００へ送信、表示されるよう制御する（ステップＳ９１１）。
【００７６】
出来上がりイメージのデータを含む表示用データをユーザ端末３００へ送信制御後、加工商品データ制御部１１３０は、当該ユーザ端末から購入要求の信号を受信したかどうか判定を行う（ステップＳ９１２）。購入要求の信号を受信しない場合（Ｎｏ）、引き続き購入要求の信号を受信するかどうか判定を行う。購入要求の信号を受信したとき（Ｙｅｓ）、購入手続に必要な情報の登録を要求するための購入手続用ページがユーザ端末３００で表示されるよう、制御する（ステップＳ９１３）。具体的には、購入数、決済方法、送り先氏名、住所、電話番号等を入力するためのページである。これらの情報は、加工商品販売売上ＤＢ１１３７へ登録される。なお、購入手続が完了すると、加工商品は、制作工程にはいり、制作後、登録された住所へ発送される。
【００７７】
本実施の形態では、加工商品の詳細ページを表示後に「写真選択」のボタンをクリックすることで選択可能な購入済み写真を表示する構成としているが、これに限らず、加工商品の詳細ページを表示時に、選択可能な購入済み写真データも合わせて表示する構成としてもよい。また、本実施の形態では、加工商品販売ページへアクセスしたときに、ユーザ認証を行っているが、これに限らず、「写真選択」のボタンをクリックしたときに初めてユーザ認証を要求する構成としてもよい。
【００７８】
次に、本発明の第二の実施の形態について、説明する。本発明の第一の実施の形態では、本発明の写真販売管理システムにおいて購入した写真をユーザの購入履歴を活用して、連係されている加工商品販売システムで、写真を用いた年賀状等の加工商品の購入を簡便に行うことができることを説明した。第二の実施の形態では、ユーザがより簡便に写真を選択して加工商品を購入することができるよう、写真販売管理システム１００が、ユーザ写真を適宜選んで加工商品に適用したイメージを提供する「レコメンド」を行う場合を説明する。なお、第一の実施の形態と同一の構成については、図面には同一の数字を付し、説明を省略する。
【００７９】
図１０は、本発明の第二の実施の形態における写真販売管理システム１００の機能ブロック図である。第一の実施の形態の写真販売システムと同様に写真販売管理システム１００は、期限付写真販売システム１７００と加工商品販売システム１８００を有する。期限付写真販売システム１７００は、第一の実施の形態と同様の構成を有する。一方、加工商品販売システム１８００は、新たに、顔認識処理部１１３３を有する。顔認識処理部１１３３は、期限付写真販売システム１７００で販売される写真に含まれる顔部分を認識し、顔の数や顔が写真に占める割合などを検出する。顔認識処理部１１３３は、写真ＤＢ１１２０に含まれる写真データのすべての顔の数及び顔の割合を検出するよう、顔認識処理を行う。
【００８０】
さらに、加工商品販売記憶部１１３４は、新たにレコメンドＤＢ１１４０と顔認識ＤＢ１１４２を有する。レコメンドＤＢ１１４０は、加工商品データ制御部１１３０がユーザにレコメンドする加工商品を決定するための加工商品表示決定条件とともに、レコメンドするユーザの写真データを決定するためのレコメンド条件を記憶している。加工商品表示決定条件とは、販売されている複数の加工商品のうち、どの加工商品をユーザにおすすめとしてレコメンドするかを決定するための条件である。加工商品表示決定条件として、例えば、時期や売り上げ順位等を記憶しておき、それらに重みづけ計算をしてどの加工商品データをレコメンドとして表示させるかを決定する。また、レコメンド条件とは、レコメンドする加工商品に合う写真データの条件である。例えば、レコメンド条件としてその加工商品にふさわしい撮影日や顔の数、顔の割合の条件を各加工商品ごとに記憶しておく。
【００８１】
顔認識ＤＢ１１４２は、顔認識処理部１１３３が顔認識処理を行って検出した顔の数及び顔の割合を記憶する。ここでは、期限付写真販売システム１７００の写真ＤＢ１１２０に記憶されている写真データすべてに顔認識処理部１１３３が顔認識処理を行い、その検出結果を記憶する。しかし、例えば、ユーザが期限付写真販売システム１７００で購入した写真、つまり、ユーザページ写真管理ＤＢに記憶されている写真データのみに顔認識処理を行って、顔認識ＤＢ１１４２に記憶する構成としてもよい。
【００８２】
そして、第二の実施の形態に係る加工商品データ制御部１１３０は、ログイン後のユーザページの一部にレコメンド商品を表示するエリアを設け、「写真選択」のボタンが押されなくとも、所定の加工商品にレコメンド条件を満たしたユーザの写真の一つを適用した出来上がりイメージデータを生成して、レコメンド商品表示エリアにレコメンド商品データとして表示する。このとき、レコメンド商品表示エリアに表示させる加工商品は、レコメンドＤＢ１１４０に記憶されている表示決定条件に基づいて決定され、また加工商品に適用されるユーザ写真は、レコメンドＤＢ１１４０に記憶されているレコメンド条件に基づいて決定される。例えば、レコメンド商品表示エリアに３つの加工商品を掲載するスペースがある場合、加工商品データ制御部１１３０は、表示決定条件に基づいて決定された表示優先順位の上位３つの加工商品にレコメンド条件に合ったユーザ写真を適用して表示する。
【００８３】
図１１は、第二の実施の形態の加工商品販売記憶部１１３４に記憶されるレコメンドＤＢ１１４０及び顔認識ＤＢのデータベース構成の一例を示す図面である。レコメンドＤＢ１１４０は、レコメンド条件としてレコメンドする写真データの条件を記憶する。ここでは、撮影日と写真データに含まれる顔の数及び顔の割合をレコメンド条件として記憶している。例えば、年賀状ａという加工商品の場合、撮影日が２０１５年中のものであって、顔が一つ、写真に占める顔の割合が４０％以上という条件を満たす写真データを、ユーザが期限付写真販売システムで購入しユーザページ写真管理ＤＢ１１２７に記憶している写真データのなかから加工商品データ制御部１１３０が一つ抽出する。
【００８４】
また、レコメンドＤＢ１１４０は、表示決定条件として、様々なパラメータを記憶しており、表示時期優先順位、非表示時期優先順位、売上額順位、販売数順位、購入者数順位などを加工商品名称に対応付けて記憶している。加工商品データ制御部１１３０は、これらの複数のパラメータをそれぞれ重みづけ計算をして、どの加工商品を優先的にレコメンド商品表示エリアに表示させるかを決定する。どの加工商品を表示させるかを決定するためのパラメータはこれらに限らず他のパラメータを用いてもよく、重みづけ計算で決定しなくともよい。単純に表示決定条件として、順位を記憶しているだけでもよい。
【００８５】
顔認識ＤＢ１１４２は、写真データＩＤをキーとして、顔認識処理部１１３３が顔認識処理を行った検出結果として顔の数及び顔の割合を記憶する。
【００８６】
図１２は、本発明の第二の実施の形態における受発注処理の流れを示すシーケンス図である。まず、写真販売管理システム１００の加工商品データ制御部１１３０は、加工商品販売を開始するために、ポストカード、年賀状、キーホルダー、など加工商品名称と、そのテンプレートデータ、詳細説明情報、価格の登録等を受付け、加工商品販売ＤＢ１１３８及びテンプレートデータＤＢ１１３６へ記憶する（Ｓ１２０１）。そして、加工商品データ制御部１１３０は、これらのデータに基づいて加工商品販売用ページを生成する。販売者端末２００は、自己が販売する写真について、加工商品への適用の可否を設定して送信し（Ｓ１２０２）、加工商品データ制御部１１３０はそれを受け付け、加工商品販売管理ＤＢ１１３５へ記憶する（Ｓ１２０３）。
【００８７】
そして、ユーザ端末３００がユーザページへアクセスする（Ｓ１２０４）。このアクセスは、期限付写真販売システム１７００のあるイベントの写真販売ページにアクセス後に販売ページに含まれる「ユーザページ」ボタンをクリックすることによるアクセスであっても、加工商品販売システム１８００の販売ページにアクセス後に販売ページに含まれる「ユーザページ」ボタンをクリックすることによるアクセスであってもよい。そこで、加工商品データ制御部１１３０は、ユーザページの表示用データのページ要求を受信し、ログイン済みではない場合、ユーザＩＤ及びパスワードの入力を要求するログインページの表示用データを送受信部１１２４が送信するよう制御する（Ｓ１２０５）。
【００８８】
ユーザ端末３００は、ログインページを受信するとユーザＩＤ及びパスワードを入力し、ログインの手続きを行う（Ｓ１２０６）。ユーザＩＤ及びパスワードをユーザ端末３００から受信するとユーザ情報ＤＢ１１２８を参照して、ユーザ認証を行う（Ｓ１２０７）。ユーザＩＤ及びパスワードが正しければ、加工商品データ制御部１１３０は、ユーザが過去に購入した写真データと写真データを購入した販売ページ名称とを有するユーザページを送受信部１１２４が送信するよう制御する。ここで、ユーザページであるインターネットページの一部データとして先に送信される。
【００８９】
続いて、加工商品データ制御部１１３０は、ユーザページが有するレコメンド商品表示エリアに表示する加工商品に対応するユーザ写真を抽出する（Ｓ１２０８）。ここで、レコメンド商品表示エリアに表示できる加工商品の数は、あらかじめ決まっており（例えば３つ等）、また、レコメンドＤＢ１１４０に表示決定条件が記憶されているため、加工商品データ制御部１１３０は、レコメンド商品表示エリアに表示する加工商品データを表示決定条件に基づいて決定している。具体的には、表示決定条件として記憶されている項目それぞれに重みづけ計算して、各加工商品データに表示優先順位を決定し、表示可能数分上位となった加工商品データをレコメンド表示する加工商品として決定する。
【００９０】
次に、レコメンドＤＢ１１４０を参照して、表示する加工商品データに対応するレコメンド条件に合う、認証されたユーザに対応付けて記憶されている写真データを、加工商品販売管理ＤＢ１１３５、テンプレートデータＤＢ１１３６、顔認識ＤＢ１１４２、ユーザページ写真管理ＤＢ１１２７を参照して抽出する。なお、レコメンド条件に合う写真データが複数ある場合は、最新の撮影日を有する写真データを抽出する。また、該当する写真データがない場合は、その加工商品については、エラー処理とし、別の加工商品データを繰り上げて表示することとして決定してレコメンド条件にある写真データを抽出する。
【００９１】
次に、加工商品データ制御部１１３０は、レコメンドする加工商品データに合わせて抽出した写真データを加工商品のテンプレートデータに適用して出来上がりイメージデータを生成し、レコメンド商品表示エリアを生成する（Ｓ１２０９）。そして、ユーザページデータ送信に続いて、レコメンド商品表示エリアの表示用データをユーザ端末３００へ送信する。この送信によりユーザページのすべてがユーザ端末３００で表示される（Ｓ１２１０）。レコメンド商品表示エリアには、レコメンド商品にユーザの写真を適用した出来上がりイメージデータのほかに、それぞれの加工商品の価格が表示されている。
【００９２】
ユーザ端末３００から、レコメンド商品表示エリアに表示された出来上がりイメージデータにより構成された加工商品データの一つが選択される（Ｓ１２１１）。選択されたことを示す信号を加工商品データ制御部１１３０が受信すると、選択された加工商品の詳細情報を含んだページが送信されるよう制御する（Ｓ１２１２）。ここで、表示されている加工商品のイメージデータは、加工商品データ制御部１１３０が選択したユーザ写真により生成した出来上がりイメージデータである。この詳細ページには、「写真選択」と「購入」のボタンが用意されており、「購入」をクリックすると、選択されているユーザ写真を使った加工商品をそのまま購入することができ、購入手続き（Ｓ１２１９）へとすすむこととなる。従って、ユーザはレコメンドされた加工商品とユーザ写真の組み合わせが気に入れば簡単な手続きで購入することができ、自分で写真を選んだりする必要がない。
【００９３】
なお、ここでは、レコメンド商品表示エリアに表示された出来上がりイメージデータの一つが選択されるとその商品の詳細ページに移ることとして説明しているが、商品の一つが選択された場合に、そのまま「購入」手続に移るように構成してもよく、またレコメンド商品表示エリアに表示される加工商品データとともに「写真選択」のボタンを表示して、直接、写真選択の手続きにうつるようにしてもよい。
【００９４】
次に、詳細ページから「写真選択」がユーザ端末３００によってクリックされた場合について、説明する。写真選択のボタンがユーザ端末３００でクリックされる（Ｓ１２１３）と、加工商品データ制御部１１３０は、認証されたユーザの選択可能なユーザ写真を読み出す（Ｓ１２１４）。ここで加工商品データ制御部１１３０は、テンプレートデータＤＢ１１３６を読み出して、選択加工商品が写真に要求する解像度を確認し、また、加工商品販売管理ＤＢ１１３５から加工商品への適用の可否を確認して、ユーザ端末３００がログインしたユーザＩＤに対応する期限付写真販売から購入済みの写真データのうち、要求する解像度を有する写真データであって、かつ加工商品への適用が可とされている写真データを写真ＤＢ１１２０から読み出す。そして、選択可能なユーザの写真データのページを生成して、ユーザ端末３００へ送信する（Ｓ１２１５）。
【００９５】
ユーザ端末３００は、受信した選択可能なユーザの写真データ（候補写真）のページを表示する（Ｓ１２１６）。このなかから、ユーザ端末３００は、購入予定の加工商品へ適用する写真を選択する（Ｓ１２１７）。一つの写真を選択した旨の信号が写真販売管理システム１００へ送信されると、加工商品データ制御部１１３０は、選択された写真データを写真ＤＢ１１２０から読み出し、選択された加工商品のテンプレートデータに写真データを合成して、出来上がりイメージデータを生成する（Ｓ１２１８）。生成されたイメージデータを送信するよう加工商品データ制御部１１３０は制御し、送受信部１１２４がユーザ端末へ送信する。
【００９６】
ユーザ端末３００は、出来上がりイメージのデータを受信するとそれを表示し、ユーザからの購入決定をまつ。購入決定がなされると、例えば、出来上がりイメージのデータページにある「購入」ボタンがクリックされると、購入手続へとすすむ（Ｓ１２１９）。なお、Ｓ１２１１でレコメンド商品が選択され、加工商品データ制御部１１３０から選択された加工商品のページが表示され、そこから「購入」ボタンがクリックされた場合もＳ１２１２からＳ１２１９へとすすむ。購入要求を写真販売管理システム１００が受信すると、加工商品データ制御部１１３０は、購入数、決済方法、発送先情報の登録などを入力するためのページを生成して、送受信部１１２４はユーザ端末３００へ送信し、入力された情報を受信することで加工商品を受注する（Ｓ１２２０）。
【００９７】
受注した加工商品情報は、加工商品販売売上ＤＢ１１３７へ記憶される。加工商品売上管理部１１３２は、所定期間ごとに、加工商品に適用された写真データの販売元に対し、加工商品販売売上ＤＢ１１３７に記憶されている売上に基づき、加工商品販売商品ＤＢ１１３８に記憶されている分配率に従って、各販売元へ支払う分配金を計算し、販売元管理ＤＢ１１１８を参照して、分配金を販売者へ振り込むことで料金を支払う（Ｓ１２２１）。また、加工商品売上管理部１１３２は、加工商品の作成を加工業者等へ発注し、ユーザへ発送されるまで、管理を行う（Ｓ１２２２）。また、販売者は、分配金を受領し、例えば、販売者端末２００は、加工商品売上管理部１１３２から、分配金が振り込まれる旨の通知を受信する（Ｓ１２２３）。
【００９８】
図１３は、本発明にかかる第二の実施の形態における加工商品データ制御部１１３０の処理を説明するフローチャートの一例である。まず、加工商品データ制御部１１３０は、ユーザ端末３００の一つからユーザが購入済みの写真データを含む表示用データであるユーザページへのアクセスを受信する（ステップＳ１３０１）。そこで、加工商品データ制御部１１３０は、要求を送信してきたユーザ端末３００がログイン済みであるかどうかを判定する（ステップＳ１３０２）。
【００９９】
ユーザ認証がなされていない場合（Ｎｏ）、ユーザＩＤ及びパスワードを入力するためのログイン画面がユーザ端末に表示されるようログイン画面用データを送受信部１１２４が送信するよう制御する（ステップＳ１３０３）。加工商品データ制御部１１３０は、ユーザ端末からユーザＩＤ及びパスワードのデータを受信すると、受信したユーザＩＤ及びパスワードがユーザ情報ＤＢ１１２８に記憶されているデータと一致するかどうか判定する（ステップＳ１３０４）。一致しない場合（Ｎｏ）、エラーであることを通知し、改めてログイン画面を表示させる（ステップＳ１３０３）。ユーザＩＤ及びパスワードが一致する場合（Ｙｅｓ）、ユーザ認証がなされ、ユーザページの表示用データをユーザ端末へ送信し、表示させる（ステップＳ１３０５）。
【０１００】
ユーザ認証がすでになされている場合（Ｙｅｓ）、ユーザページの表示用データをユーザ端末へ送信し、ユーザページを表示させる（ステップＳ１３０５）。ユーザページには、認証されたユーザが過去に期限付写真販売システム１７００で購入した写真データがその写真を購入した販売ページ名称とともに掲載されている。なお、写真データそのものを購入していない場合、つまり、写真プリントで購入している場合、表示のみを行うことができ、写真データそのものをユーザページからダウンロードはできないようになっている。ユーザページには、レコメンド商品表示エリアがあり、加工商品データ制御部１１３０は、レコメンド商品表示エリア以外のページデータを先にユーザ端末３００へと送信するよう制御する。
【０１０１】
次に、加工商品データ制御部１１３０は、レコメンドＤＢ１１４０を参照し、レコメンド商品として決定された加工商品に対応するユーザ購入済み写真を抽出する（ステップＳ１３０６）。レコメンド商品表示エリアに表示できる加工商品の数は、予め３つなどと決まっており、また、レコメンドＤＢ１１４０に表示決定条件が記憶されているため、加工商品データ制御部１１３０は、表示する加工商品を決定する。具体的には、表示決定条件として記憶されている様々なパラメータ（表示時期優先順位や、売上額順位等）にそれぞれ重みづけ計算して、算出された結果に応じて加工商品を順位づけし、上位から順に表示エリアに表示するよう決定する。そして、加工商品データ制御部１１３０は、レコメンドする加工商品に対応付けて記憶されているレコメンド条件（顔の数、割合や撮影日等）をレコメンドＤＢ１１４０から読み出し、レコメンド条件に合う写真であって、加工商品販売管理ＤＢ１１３５に加工商品への販売可と記憶されていて、テンプレートデータＤＢ１１３６に記憶されている解像度の条件に合う写真を、顔認識ＤＢ１１４２及びユーザページ写真管理ＤＢ１１２７を参照して、写真ＤＢ１１２０から写真データを読み出す。なお、レコメンド条件に合う写真を検索した結果、該当する写真データがない場合は、次順位の加工商品データを表示するよう決定して、再度レコメンド条件に合うユーザの写真データを抽出する。
【０１０２】
そして、加工商品データ制御部１１３０は、レコメンドする加工商品データに合わせて抽出した写真データを加工商品のテンプレートデータに適用して出来上がりイメージデータ加工をし、レコメンド写真データを生成して、レコメンド商品表示エリアの表示用データを生成し、ユーザ端末３００へ送信するよう制御する（Ｓ１３０７）。これで、ユーザページのすべてのデータがユーザ端末３００に表示されることとなる。
【０１０３】
そして、加工商品データ制御部１１３０は、レコメンド商品表示エリアに表示された加工商品の一つを選択する信号をユーザ端末から受信したか、判定する（ステップＳ１３０８）。商品選択の信号を受信していない場合（Ｎｏ）、加工商品データ制御部１１３０は、引き続きレコメンド商品表示エリアを含むユーザページをユーザ端末３００に表示させる（ステップＳ１３０７）。商品選択の信号を受信した場合（Ｙｅｓ）、選択された加工商品の詳細ページをユーザ端末で表示するために送信するよう制御する（ステップＳ１３０９）。詳細ページには、加工商品データ制御部１１３０が抽出したユーザ写真を適用した出来上がりイメージデータのほか、価格、商品の詳細説明、「写真選択」のボタン、「購入」のボタン、などが含まれる。
【０１０４】
加工商品データ制御部１１３０は、続いて「写真選択」のボタンがユーザ端末３００でクリックしたことによる信号を受信したかどうか判定する（ステップＳ１３１０）。クリックされていない場合（Ｎｏ）、信号は受信していないため、続いて「購入」ボタンがクリックされたか、判定を行う（ステップＳ１３１６）。「購入」ボタンもクリックされていないとき（Ｎｏ）、引き続き、選択された加工商品の詳細ページを表示する（ステップＳ１３０９）。「購入」ボタンがクリックされている場合（Ｙｅｓ）、購入手続きへとすすむ（ステップＳ１３１５）。
【０１０５】
ユーザ端末３００において「写真選択」ボタンがクリックされ、その信号を受信したとき（Ｙｅｓ）、加工商品データ制御部１１３０は、選択された加工商品に選択可能な購入済み写真がユーザ端末３００に表示されるよう、制御する（ステップＳ１３１１）。「写真選択」ボタンがクリックされたことは、加工商品データ制御部１１３０が抽出したユーザ写真ではない写真をレコメンドされた加工商品に適用したいことを意味するからである。ここで、加工商品データ制御部１１３０は、選択された加工商品データに適用される写真に要求される適用条件（たとえば、必要な画素数、写真の向き等）をテンプレートデータＤＢ１１３６から読み出すとともに、認証されたユーザの購入済み写真データをユーザページ写真管理ＤＢから読み出し、さらに、加工商品販売管理ＤＢ１１３５から、加工商品への適用の可否を読み出して、認証されたユーザの購入済みの写真のうち、選択された加工商品に適用可能な写真データを写真ＤＢ１１２０から読みだしてユーザ端末３００へ表示するよう制御する。
【０１０６】
そして、加工商品データ制御部１１３０は、表示させた写真データのうち、いずれかの写真が選択されたかどうか、ユーザ端末からの信号の受信を待つ（ステップＳ１３１２）。写真選択の信号を受信しない場合（Ｎｏ）、引き続き写真が選択されたかどうかの判定を行う。写真選択の信号を受信した場合（Ｙｅｓ）、加工商品データ制御部１１３０は、選択された写真データと選択された加工商品データのテンプレートデータに基づいて出来上がりイメージを生成し、ユーザ端末３００へ送信、表示されるよう制御する（ステップＳ１３１３）。
【０１０７】
出来上がりイメージのデータを含む表示用データをユーザ端末３００へ送信制御後、加工商品データ制御部１１３０は、当該ユーザ端末から購入要求の信号を受信したかどうか判定を行う（ステップＳ１３１４）。購入要求の信号を受信しない場合（Ｎｏ）、引き続き購入要求の信号を受信するかどうか判定を行う。購入要求の信号を受信したとき（Ｙｅｓ）、購入手続に必要な情報の登録を要求するための購入手続用ページがユーザ端末３００で表示されるよう、制御する（ステップＳ１３１５）。具体的には、購入数、決済方法、送り先氏名、住所、電話番号等を入力するためのページである。これらの情報は、加工商品売上ＤＢ１１３７へ登録される。なお、購入手続が完了すると、加工商品は、制作工程にはいり、制作後、登録された住所へ発送される。
【０１０８】
以上、説明した本発明によれば、購入した写真データを管理しているユーザページをもつことで、期限付写真販売システムで購入した写真を用いた加工商品をユーザは簡易な手続で購入することができる。また、写真販売者やシステム運営者も、加工商品を加工商品販売システムから購入してもらうことで、写真販売以外からも利益を得ることが可能となる。
【０１０９】
また、本実施の形態では、加工商品販売ページや、ユーザページ、期限付写真販売ページなどのＷｅｂページをインターネットを介して送受信することが好ましいが、ＣＤ−ＲＯＭやダウンロード等によるアプリケーション方式で行ってもよい。
【符号の説明】
【０１１０】
１００  写真販売管理システム
２００  販売者端末
３００ａ〜ｄ  ユーザ端末
【図１】
0006599214.tif 000002
【図２】
0006599214.tif 000003
【図３】
0006599214.tif 000004
【図４】
0006599214.tif 000005
【図５】
0006599214.tif 000006
【図６】
0006599214.tif 000007
【図７】
0006599214.tif 000008
【図８】
0006599214.tif 000009
【図９】
0006599214.tif 000010
【図１０】
0006599214.tif 000011
【図１１】
0006599214.tif 000012
【図１２】
0006599214.tif 000013
【図１３】
0006599214.tif 000014